(57)【特許請求の範囲】
【請求項１】
光学的に情報が記録再生される光ディスク記録媒体を、上下一対の上枠部材と下枠部材とで構成される函体形状の収容ケースの内部に回転可能に収容した光ディスク記録体であって、
前記収容ケース上面には、ラベルを貼り付けるための凹部が設けられておらず、かつ、その四隅部を最も高くし、中央部に向かうにしたがって次第に低くなる湾曲部が形成されていることを特徴とする光ディスク記録体。
【請求項２】
前記湾曲部の湾曲幅が０．０５ｍｍ〜０．１７ｍｍであることを特徴とする請求項１に記載の光ディスク記録体。
【請求項３】
前記収容ケースの側面が、ラベルを貼り付けるための凹部が設けられていない略平坦面であることを特徴とする請求項１から２に記載の光ディスク記録体。
【請求項４】
前記収容ケースの下面が、ラベルを貼り付けるための凹部が設けられていない略平坦面であることを特徴とする請求項１から３のいずれかに記載の光ディスク記録体。
【請求項５】
前記光ディスク記録体が、ミニディスクであることを特徴とする請求項１から４のいずれかに記載の光ディスク記録体。
【発明の詳細な説明】
【０００１】
【発明の属する技術分野】
本発明は、例えば、ミニディスク（ＭＤ）、Ｍａｇｎｅｔ  Ｏｐｔｉｃａｌディスク（ＭＯディスク）など、光磁気ディスクなどの光学的に情報を記録再生することの可能な光ディスク記録媒体を収容ケースの内部に回転可能に収容した、記録再生可能な光ディスク記録体に関する。
【０００２】
【従来の技術】
光磁気ディスクは、レーザ光と磁気との相互作用による光磁気効果を利用して、情報の書き込み、読み出し、消去を繰り返し行うことが可能であり、カセットテープなどの通常の磁気記録に比較して、高密度の記録が可能で、しかも、レーザ光を利用した非接触方式であることから、繰り返し再生などしても音質の劣化がないため広範に用いられている。特に、ミニディスク（ＭＤ）、Ｍａｇｎｅｔ  Ｏｐｔｉｃａｌディスク（ＭＯディスク）など、光磁気ディスクの一種であるいわゆる「光ディスク記録体」は、磁性膜に記録再生されるマークを磁界反転周期で制御するいわゆる「磁界変調オーバーライト」方式を用いており、システムの小型化、簡素化が可能であり、コンピュータなどの情報機器分野、音響機器分野などにおいて昨今注目され脚光を浴びている。
【０００３】
ところで、このような従来の光ディスク記録体１００は、図３に示したように、上下一対の上枠部材１０２と下枠部材１０４とからなる函体形状の収容ケース１０６を備えており、図示しない光ディスク記録媒体が、その内部に回転可能に収容されている。
【０００４】
この収容ケース１０６の上面１０６ａには、ラベルを貼り付けるための凹部１０８が形成されている。さらに、図３に示すように、光ディスク記録体１００を専用保管ケース１２０に収納した場合、外方から視認可能な光ディスク記録体１００の側面１１０に、ラベルを貼り付けるための凹部１１２が形成されている。
【０００５】
使用者は、光ディスクに記録した内容やタイトルなどをラベル１１４，１１６に記載し、これらのラベルを、所定の凹部１０８，１１２に貼り付けることにより、光ディスク記録体１００を管理することができる。
【０００６】
【発明が解決しようとする課題】
ところで、このような従来の光ディスク記録体１００では、このようなラベル１１４，１１６を、凹部１０８，１１２以外の部分に貼り付けたり、はみ出して貼り付けると、光ディスク記録体１００を再生記録装置内に挿入する時や、再生記録装置内で作動させた時に、ラベルが装置と干渉して剥がれ、装置が故障する原因となっている。
【０００７】
また、ラベル１１４，１１６を、所定の凹部内に貼り付けたとしても、時間の経過とともに剥がれ易くなり、再生記録装置が故障する原因となる。さらに、光ディスクに記録するたびに、ラベルに記録内容を記載するのは、非常に面倒な作業である。
【０００８】
そのような状況の中、近年では、光ディスク記録体を再生記録装置に挿入すると、瞬時に光ディスク記録体のタイトル等が表示窓に表示されるような再生記録装置が販売されており、使用者は、この表示を確認することにより、記録内容を容易に知ることができる。
【０００９】
さらに、近年においては、使用者が光ディスク記録体を購入する際には、デザインを重視する傾向が顕著であり、収容ケース１０６のカラーバリエーションやデザイン性に優れた光ディスク記録体が販売されている。
【００１０】
しかしながら、図３に示したように、光ディスク記録体１００にラベル１１４，１１６（特に、ラベル１１４）を貼り付けた場合、収容ケース１０６表面の大部分をラベルが覆ってしまい、光ディスク記録体のデザイン性が損なわれ、見た目にも美しいものとは言えない。
【００１１】
したがって、使用者は、光ディスク記録体１００の収容ケース１０６にラベル１１４，１１６を貼り付けないで使用することがほとんどである。
【００１２】
さらに、収容ケース１０６の表面に、模様やキャラクター等を表すには、デザイン印刷（表面印刷）により行う必要がある。
【００１３】
しかしながら、図３に示すように、従来の光ディスク記録体１００においては、使用者が収容ケース１０６を見たり、触れたりすることにより、容易にラベル貼り付け位置を確認できるようにするため、収容ケース１０６の上面１０６ａに凹部１０８が設けられている。そのため、この凹部１０８は、Ａ−Ａ線部分断面図（図４）に示すように、上面１０６ａに対する斜面１０７の角度αが約８０°〜５°となるように形成されており、その深さｄが約０．１ｍｍ〜０．２ｍｍとなるように形成されている。
【００１４】
したがって、従来の収容ケース１０６の上面１０６ａには、このような凹凸が存在するために表面印刷が困難であり、光ディスク記録体のデザインを設計する上で制限があった。
【００１５】
本発明は、このような実状に鑑み、光ディスク記録体を再生記録装置内に挿入する時や再生記録装置内で作動させた時に、装置が故障することがなく、さらに優れたデザインを施すことのできる光ディスク記録体を提供することを目的とする。
【００１６】
また、本発明は、優れたデザインが施された収容ケース上面にキズが付くことを著しく低減させることができ、長期間にわたって、優れたデザインを保持することができる光ディスク記録体を提供することを目的とする。
【００１７】
【課題を解決するための手段】
本発明は、前述したような従来技術における課題及び目的を達成するために発明されたものであって、本発明の光ディスク記録体は、光学的に情報が記録再生される光ディスク記録媒体を、上下一対の上枠部材と下枠部材とで構成される函体形状の収容ケースの内部に回転可能に収容した光ディスク記録体であって、
前記収容ケースは、前記光ディスク記録媒体に情報を記録再生する際に摺動するシャッター部材が配置される凹部を除く表面が、ラベルを貼り付けるための凹部が設けられていない略平坦面となるように形成されていることを特徴とする。
【００１８】
また、前記収容ケースは、前記光ディスク記録媒体に情報を記録再生する際に摺動するシャッター部材が配置される凹部を除く上面が、ラベルを貼り付けるための凹部が設けられていない略平坦面となるように形成されていることが好ましい。
【００１９】
さらに、前記収容ケースの側面または下面が、ラベルを貼り付けるための凹部が設けられていない略平坦面であることも好ましい。
【００２０】
前記光ディスク記録体が、ミニディスクであることが望ましい。
【００２１】
このような光ディスク記録体によれば、収容ケース表面にラベルが貼られることがないため、光ディスク記録体を再生記録装置内に挿入する時や、再生記録装置内で作動させた時に、剥がれたラベルにより装置が故障することがない。
【００２２】
さらに、ラベルを貼り付けるための凹部を収容ケースに設ける必要がないため、収容ケースに様々なデザインを施すことが可能であり、優れたデザインの光ディスク記録体を得ることができる。
【００２３】
しかも、従来のように、ラベルを貼り付けるための凹部を収容ケースに設ける必要がないため、光ディスク記録体の製造コストの低減を図ることができ、さらに光ディスク記録体とラベルとを一緒に販売する必要がないため、販売コストの低減をも図ることができる。
【００２４】
また、本発明の光ディスク記録体は、光学的に情報が記録再生される光ディスク記録媒体を、上下一対の上枠部材と下枠部材とで構成される函体形状の収容ケースの内部に回転可能に収容した光ディスク記録体であって、
前記収容ケース上面には、ラベルを貼り付けるための凹部が設けられておらず、かつ、その中央部に向かうにしたがって次第に低くなる湾曲部が形成されていることを特徴とする。
前記収容ケース上面には、ラベルを貼り付けるための凹部が設けられておらず、かつ、その四隅部を最も高くし、中央部に向かうにしたがって次第に低くなる湾曲部が形成されていることが好ましい。
【００２５】
さらに、前記収容ケースの側面または下面が、ラベルを貼り付けるための凹部が設けられていない略平坦面であることも好ましい。
【００２６】
前記光ディスク記録体が、ミニディスクであることが望ましい。
【００２７】
このような光ディスク記録体によれば、ディスク記録体を生産する場合や使用する場合において、上面が面接触ではなく点接触となるため、収容ケース上面にキズが付くことを著しく低減させることができる。
【００２８】
したがって、光ディスク記録体の表面に施された様々なデザインが、損傷を受けることが無く、長期間にわたって、優れたデザインを保つことができる。
【００２９】
また、このような光ディスク記録体によれば、収容ケース表面にラベルが貼られることがなく、さらにラベルを貼り付けるための凹部を収容ケースに設ける必要がないため、上述の効果と同様の効果を得ることができる。
【００３０】
【発明の実施の形態】
以下、本発明の実施の形態（実施例）を図面に基づいてより詳細に説明する。
【００３１】
図１は、本発明の光ディスク記録体の第１の実施例を示す、概略斜視図である。
【００３２】
図１に示すように、本発明の第１の実施例である光ディスク記録体１０は、図示しない光ディスク記録媒体を、上下一対の上枠部材１２と下枠部材１４とからなる函体形状の収容ケース１６の内部に回転可能に収容している。
【００３３】
これら上下一対の上枠部材１２と下枠部材１４とを嵌合させて収容ケース１６とすることにより、収容ケース１６に側面が形成されるようになっている。
【００３４】
収容ケース１６の上面１６ａには、光ディスク記録媒体に情報を記録再生する際に光学的にアクセス可能なように、図示しないアクセス窓が形成されている。
【００３５】
図１に示すように、このアクセス窓は、通常、シャッター部材１８により保護されており、このシャッター部材１８は、光ディスク記録媒体１１に情報を記録再生する際には、図１に示す矢印方向に摺動可能に構成されている。
【００３６】
そして、収容ケース１６の上面１６ａには、図１に示すように、摺動したシャッター部材１８を保持するための凹部２０が形成されている。
【００３７】
収容ケース１６の上面１６ａのうち、凹部２０を除く上面部２２には、ラベルを貼り付けるための凹部が形成されておらず、上面部２２は略平坦形状に形成されている。
【００３８】
さらに、図１に示すように、光ディスク記録体１０を専用保管ケース２０に収納した場合、光ディスク記録体１０の側面２４が外方から視認される。
【００３９】
この側面２４には、情報が上書きされないように保護するライトプロテクター２６を操作可能なように穿孔２８が設けられている。側面２４のうち、穿孔２８を除く側面部３０には、ラベルを貼り付けるための凹部が形成されておらず、側面部３０は略平坦形状となっている。
【００４０】
このように、本実施例における光ディスク記録体の収容ケースには、上面部２２と側面部３０にラベルを貼り付けるための凹部が形成されておらず、これらの面は略平坦面となっている。
【００４１】
上記第１の実施例では、図１に示したように、光ディスク記録体１０の収容ケース１６の上面部２２と側面部３０に、ラベルを貼り付けるための凹部が形成されていない構造を例にとって説明したが、本発明はこれに限定されず、例えば、上面部２２、側面部３０、または図示しない下面のうち少なくとも１つの面が略平坦形状となっている構造であってもよい。
【００４２】
また、ラベルを貼り付けるための凹部が形成されていない収容ケース１６の側面は、図１に示される側面２４に限られず、いずれの側面であっても良い。
【００４３】
本発明においては、得られる効果の面から、少なくとも上面部２２が略平坦形状となっていることが好ましい。
【００４４】
一方、図２は、本発明の光ディスク記録体の第２の実施例を示す概略図である。図２（Ａ）は第２実施例の光ディスク記録体の概略上面図、図２（Ｂ）、（Ｃ）は概略側面図を表わす。
【００４５】
この第２の実施例は、基本的には、図１に示した第１の実施例の光ディスク記録体１０と同様な構成であるので、同じ構成部材には、同じ参照番号を付してその詳細な説明を省略する。
【００４６】
図２（Ｃ）に示すように、本発明の第２の実施例である光ディスク記録体４０は、図示しない光ディスク記録媒体を、上下一対の上枠部材４２と下枠部材４４とからなる函体形状の収容ケース４６の内部に回転可能に収容している。
【００４７】
収容ケース４６の上面４６ａには、図示しないアクセス窓が形成されており、このアクセス窓は、通常、シャッター部材１８により保護されている。そして、収容ケース４６の上面４６ａには、図２（Ａ）に示すように、摺動したシャッター部材１８を保持するための凹部４８が形成されている。
【００４８】
収容ケース４６の上面４６ａのうち、凹部４８を除く上面４６ａには、ラベルを貼り付けるための凹部が形成されていない。さらに、図２（Ｂ）に示すように、収容ケース４６の側面４９には、ラベルを貼り付けるための凹部が形成されていない。
【００４９】
この収容ケース４６の上面４６ａには、図２（Ｂ）（Ｃ）に示すように、その四隅部５０ａ，５０ｂ，５０ｃ，５０ｄを最も高くし、中央部に向かうにしたがって次第に低くなる湾曲部５２が形成されている。
【００５０】
つまり、図２に示すように、各々の四隅部の間（５０ａ−５０ｂ間，５０ｂ−５０ｃ間，５０ｃ−５０ｄ間，５０ｄ−５０ａ間，５０ａ−５０ｃ間，５０ｂ−５０ｄ間）が、中央部に向かうにしたがって次第に低く湾曲するように形成されている。
【００５１】
この湾曲部５２は、図２（Ｂ）（Ｃ）に示すように、その湾曲幅αが、０．０５ｍｍ〜０．１７ｍｍ、好ましくは０．１〜０．２ｍｍであることが好ましい。
【００５２】
湾曲幅αがこの範囲であると、光ディスク記録媒体４０の製造工程や、再生記録装置で使用する場合、上面４６ａは、面ではなく、四隅部５０ａ，５０ｂ，５０ｃ，５０ｄで接することとなるので、面４６ａにキズが付くことがほとんど無い。
【００５３】
したがって、光ディスク記録体の表面に施された様々なデザインが、損傷を受けることが無いため、長期間にわたって、当初の優れたデザインを保つことができる。
【００５４】
また、収容ケース４６の上面４６ａを湾曲させることにより、シャッター部材１８が配置される凹部４８の底面４８ａも湾曲する。湾曲幅がこの範囲内であれば、シャッター部材１８がスライドする際に問題が生じることはないが、凹部４８の底面４８ａは略平坦面であってもよい。
【００５５】
上記第２の実施例では、図２に示したように、光ディスク記録体４０の上面４６ａの全ての四隅部を、最も高くした湾曲形状を例にとって説明したが、本発明はこれに限定されず、例えば、四隅部のうち少なくとも２箇所を、頂点とした湾曲形状であってもよい。
【００５６】
さらに、収容ケース４６の上面４６ａが、その縁部を全周に亘って最も高くし、上面の中央部に向かうにしたがって次第に低くなるように形成された湾曲形状であってもよく、また上面４６ａの４つの端辺部のうち対向する２つの端辺部を最も高くし、上面の中央部に向かうにしたがって次第に低くなるように形成された湾曲形状であってもよい。このような形状であることにより、光ディスク記録体の上面が線で接触することとなり、従来の面で接触する光ディスク記録体と比較して、収容ケース上面にキズが付くことを著しく低減させることができる。
【００５７】
また、上記第２の実施例では、図２に示したように、光ディスク記録体４０の収容ケース４６の上面４６ａと、側面４９とが、ラベルを貼り付けるための凹部が形成されていない構造を例にとって説明したが、本発明はこれに限定されず、例えば、上面４６ａと、さらに４つの側面または図示しない下面のうち少なくとも１つの面とが、ラベルを貼り付けるための凹部が形成されていない構造であってもよい。
【００５８】
またさらに、第２の実施例では、収容ケース４６の上面４６ａには、ラベルを貼り付けるための凹部が形成されていないが、この上面４６ａは、湾曲形状であるため、光ディスク記録体を使用するのに支障が無い範囲で、ラベルを貼り付けることも可能である。
【００５９】
このような本発明の光ディスク記録体は、ミニディスク（ＭＤ）、Ｍａｇｎｅｔ  Ｏｐｔｉｃａｌディスク（ＭＯディスク）など以外にも、光磁気ディスクなど、光学的に情報を記録または記録再生することの可能な光ディスク記録媒体を収容ケースに収容した、記録または記録再生可能な様々な光ディスク記録体に適用可能であるとともに、種々の改変が可能であることは勿論である。
【００６０】
【発明の効果】
本発明の光ディスク記録体は、収容ケースの表面に、ラベルを貼り付けるための凹部が設けられておらず、略平坦面となるように形成されている。
【００６１】
そのため、光ディスク記録体の表面にラベルを貼ることがなくなり、光ディスク記録体を再生記録装置内に挿入する時や、再生記録装置内で作動させた時に、剥がれたラベルにより装置が故障することがない。
【００６２】
しかも、従来のように、ラベルを貼り付けるための凹部を収容ケースに設ける必要がないため、収容ケースに様々なデザインを施すことが可能であり、優れたデザインの光ディスク記録体を得ることができる。
【００６３】
また、従来のように、ラベルを貼り付けるための凹部を収容ケースに設ける必要がないため、光ディスク記録体の製造コストの低減を図ることができ、さらに光ディスク記録体とラベルを一緒に販売する必要がないため、販売コストの低減をも図ることができる。
【００６４】
本発明の光ディスク記録体は、前記収容ケース上面には、ラベルを貼り付けるための凹部が設けられておらず、かつ、その中央部に向かうにしたがって次第に低くなる湾曲部が形成されている。
【００６５】
このような光ディスク記録体によれば、ディスク記録体を生産する場合や使用する場合において、上面が面接触ではなく点接触（または線接触）となるため、収容ケース上面にキズが付くことを著しく低減させることができる。
【００６６】
したがって、光ディスク記録体の表面に施された様々なデザインが、損傷を受けることが無く、長期間にわたって、優れたデザインを保つことができる。
【図面の簡単な説明】
【図１】図１は、本発明の第１の実施例を示す光ディスク記録体の概略斜視図である。
【図２】図２は、本発明の第２の実施例を示す光ディスク記録体の概略図であり、図２（Ａ）は概略上面図、図２（Ｂ）（Ｃ）は概略側面図を示す。
【図３】図３は、従来の光ディスク記録体の概略斜視図である。
【図４】図４は、従来の光ディスク記録体のＡ−Ａ線部分断面図である。
【符号の説明】
１０，４０，１００      光ディスク記録体
１２，４２，１０２      上枠部材
１４，４４，１０４      下枠部材
１６，４６，１０６      収容ケース
１６ａ，４６ａ，１０６ａ      上面
１８              シャッター部材
２０，４８，１０８，１１２    凹部
２２              上面部
２４，４９，１１０      側面
２６              ライトプロテクター
２８              穿孔
３０              側面部
３２，１２０      専用保管ケース
４８ａ            底面
５０ａ〜ｄ        四隅部
５２              湾曲部
１１４，１１６    ラベル
α    湾曲幅
ｄ    凹部の深さ
【図１】
0003571037.tif 000002
【図２】
0003571037.tif 000003
【図３】
0003571037.tif 000004
【図４】
0003571037.tif 000005